(57)【要約】【課題】メモリの記憶容量を節約しながらも、より高画質なプリントが得られる画像信号を創成可能である電子カメラを提供する。【解決手段】ダイレクトプリントモードが設定された場合、電子カメラ３００より送信される画像信号は、圧縮処理を行わないか、もしくはＴＩＦＦなどの可逆圧縮処理が行われたものであるので、画像処理部１０２で展開しても画像信号の劣化がなく、従ってそれを変換したプリントデータに基づいて、高画質がプリントが形成される。【選択図】    図３
2004236275.tif 000002
【特許請求の範囲】
【請求項１】
光学系と、
前記光学系を介して結像された光学像を画像信号に変換する撮像素子と、
前記撮像素子から出力された画像信号に対し画像処理を行う画像処理装置と、
ダイレクトプリントモードを設定可能なモード設定部材とを有し、
前記モード設定部材によりダイレクトプリントモードが設定された場合、前記画像処理装置は、前記撮像素子から出力された画像信号に対し圧縮処理を行わないか、もしくは可逆的圧縮処理を行うことを特徴とする電子カメラ。
【請求項２】
前記電子カメラは、前記画像処理装置により画像処理された画像信号を外部に出力するためのインタフェース装置を有することを特徴とする請求項１に記載の電子カメラ。
【請求項３】
前記電子カメラは、前記画像処理装置により画像処理された画像信号を記憶する記憶装置を有することを特徴とする請求項１又は２に記載の電子カメラ。
【請求項４】
光学系と、
前記光学系を介して結像された光学像を画像信号に変換する撮像素子と、
前記撮像素子から出力された画像信号に対し画像処理を行う画像処理装置と、
前記画像処理装置により画像処理された画像信号を外部に出力するためのインタフェース装置と、
前記インタフェース装置を介して外部のストレージ装置に通信可能に接続されていることを検出する検出装置とを有し、
前記検出装置により外部のストレージ装置に接続されていることが検出された場合、前記画像処理装置は、前記撮像素子から出力された画像信号に対し圧縮処理を行わないか、もしくは可逆的圧縮処理を行い、
さらに前記インタフェース装置を介して、接続された外部のストレージ装置に対して、画像処理された画像信号が送信されるようになっていることを特徴とする電子カメラ。
【請求項５】
画像信号を記憶する記憶装置を有し、
前記検出装置により外部のストレージ装置に接続されていることが検出されなかった場合、前記画像処理装置は、前記撮像素子から出力された画像信号に対し圧縮処理を行わないか、もしくは可逆的圧縮処理を行い、前記記憶装置は、画像処理された画像信号を記憶することを特徴とする請求項４に記載の電子カメラ。
【請求項６】
前記インタフェース装置を介して、接続された外部のストレージ装置に対して、画像処理された画像信号が送信された後、前記画像処理装置は、送信された画像信号に対応して、非可逆圧縮処理が行われた画像信号を前記記憶装置に記憶することを特徴とする請求項５に記載の電子カメラ。
【請求項７】
前記ストレージ装置は、記憶手段を備えたプリンタであることを特徴とする請求項４乃至６のいずれかに記載の電子カメラ。
【請求項８】
記憶媒体を装填可能な電子カメラにおいて、
光学系と、
前記光学系を介して結像された光学像を画像信号に変換する撮像素子と、
前記撮像素子から出力された画像信号に対し画像処理を行う画像処理装置と、
記憶媒体が装填されていることを検知する検知手段と、
装填された記憶媒体から情報を読み取り、又は装填された記憶媒体に対し前記画像処理装置から得られた画像信号を書き込む読み取り・書き込み手段とを有し、
前記読み取り・書き込み手段により、装填された記憶媒体から情報を読み取り、該情報が特定の情報であって、且つ前記検知手段がその記憶媒体の装填を検知している期間は、前記画像処理装置は、前記撮像素子から出力された画像信号に対し圧縮処理を行わないか、もしくは可逆的圧縮処理を行うことを特徴とする電子カメラ。
【発明の詳細な説明】
【０００１】
【発明の属する技術分野】
本発明は、電子カメラに関し、例えば高画質なプリントを形成できる電子カメラに関する。
【０００２】
【従来の技術】
デジタルスチルカメラ等の撮影によって得られた画像データを、プリント用紙等の媒体にプリントできるホームプリンタが市販されている。ユーザーは、たとえばホームプリンタのドライバをＰＣ上にインストールし、デジタルスチルカメラからの画像データを画像処理して、ＰＣに接続されたプリンタに送信することでプリントを行うことができる。特に、近年においては、写真画質並のプリントを得ることができるホームプリンタも登場しており、画質に厳しいユーザの要求にも応えることができるようになってきている。
【０００３】
ところで、デジタルスチルカメラの撮影によって取得された画像信号は、圧縮処理された後、装填されたメモリカード等に記憶され、その後、ＰＣを介してあるいは直接、プリンタに送信されるのが一般的である（特許文献１参照）。
【特許文献１】
特開２００１−１３６３６２号公報
【０００４】
【発明が解決しようとする課題】
ここで、画像信号の圧縮処理に当たっては、比較的高圧縮率を得られるＪＰＥＧなどの非可逆圧縮処理が行われることが多く、それによりメモリカードの記憶容量の節約ができる。ところが、プリンタ側で、送信された画像信号をプリントデータに変換する際に、画像信号の展開という処理が必要になるが、ＪＰＥＧなどの非可逆圧縮処理が行われた画像信号は、展開されても元の画像信号にならず、元の画像信号の一部が他の信号に置換した状態で復元されるため、それに基づきプリントデータを作成して画像を形成しても、必ずしも最良のプリントが得られるとは言い難かった。一方、画像信号を非圧縮状態とすれば、より高画質なプリントを形成しうるが、メモリカードの記憶容量がすぐに不足するという問題がある。
【０００５】
本発明は、かかる課題に鑑みてなされたものであり、メモリの記憶容量を節約しながらも、より高画質なプリントが得られる画像信号を創成可能である電子カメラを提供することを目的とする。
【０００６】
【課題を解決するための手段】
第１の本発明の電子カメラは、光学系と、前記光学系を介して結像された光学像を画像信号に変換する撮像素子と、前記撮像素子から出力された画像信号に対し画像処理を行う画像処理装置と、ダイレクトプリントモードを設定可能なモード設定部材とを有し、前記モード設定部材によりダイレクトプリントモードが設定された場合、前記画像処理装置は、前記撮像素子から出力された画像信号に対し圧縮処理を行わないか、もしくは可逆的圧縮処理を行うので、例えばユーザーが撮影時に、予め高画質な画像のプリントを所望している場合、前記モード設定手段により前記ダイレクトプリントモードが設定することで、前記撮像素子から出力された画像信号に対し圧縮処理を行わないか、もしくは可逆的圧縮処理を行うので、その画像信号を用いてプリント行えば、より高画質な画像をプリントできる。なお、本明細書において「可逆的圧縮処理」とは、圧縮処理された画像信号を展開した場合に完全に元の画像信号が得られるため、画質の劣化を伴わない圧縮処理をいい、一方、「非可逆的圧縮処理」とは、圧縮処理された画像信号を展開した場合に完全に元の画像信号が得られず、画質の劣化を伴う圧縮処理をいうものとする。
【０００７】
さらに、前記電子カメラは、前記画像処理装置により画像処理された画像信号を外部に出力するためのインタフェース装置を有するので、かかるインタフェース手段を介して、例えば外部のプリンタに対して、圧縮処理が行われない生の画像信号もしくは可逆的圧縮処理が行われた画像信号を送信することができる。
【０００８】
また、前記電子カメラは、前記画像処理装置により画像処理された画像信号を記憶する記憶装置を有すると、屋外等の撮影などのように、外部のプリンタ等に対し、圧縮処理が行われない生の画像信号もしくは可逆的圧縮処理が行われた画像信号を直ちに送信することができない場合、かかる画像信号を前記記憶装置に記憶して、後でプリントすることもできる。
【０００９】
第２の本発明の電子カメラは、光学系と、前記光学系を介して結像された光学像を画像信号に変換する撮像素子と、前記撮像素子から出力された画像信号に対し画像処理を行う画像処理装置と、前記画像処理装置により画像処理された画像信号を外部に出力するためのインタフェース装置と、前記インタフェース装置を介して外部のストレージ装置に通信可能に接続されていることを検出する検出装置とを有し、前記検出装置により外部のストレージ装置に接続されていることが検出された場合、前記画像処理装置は、前記撮像素子から出力された画像信号に対し圧縮処理を行わないか、もしくは可逆的圧縮処理を行い、さらに前記インタフェース装置を介して、接続された外部のストレージ装置に対して、画像処理された画像信号が送信されるようになっているので、例えばユーザーが撮影時に、予め高画質な画像のプリントを所望している場合、前記電子カメラと、大容量のハードディスクを備えたプリンタ等の外部のストレージ装置と接続すれば、前記検出装置がそれを検出し、前記撮像素子から出力された画像信号に対し圧縮処理を行わないか、もしくは可逆的圧縮処理を行うので、その画像信号を外部のプリンタ等に送信することで、より高画質な画像をプリントできる。
【００１０】
さらに、画像信号を記憶する記憶装置を有し、前記検出装置により外部のストレージ装置に接続されていることが検出されなかった場合、前記画像処理装置は、前記撮像素子から出力された画像信号に対し圧縮処理を行わないか、もしくは可逆的圧縮処理を行い、前記記憶装置は、画像処理された画像信号を記憶すると好ましい。
【００１１】
また、前記インタフェース装置を介して、接続された外部のストレージ装置に対して、画像処理された画像信号が送信された後、前記画像処理装置は、送信された画像信号に対応して、非可逆圧縮処理が行われた画像信号を前記記憶装置に記憶すると、記憶容量の節約が図れるので好ましい。
【００１２】
前記ストレージ装置は、実施の形態において後述するように、大容量のハードディスクなどの記憶手段を備えたプリンタであると好ましいが、これに限らずパソコン、サーバー等であってもよい。
【００１３】
第３の本発明の電子カメラは、記憶媒体を装填可能な電子カメラにおいて、光学系と、前記光学系を介して結像された光学像を画像信号に変換する撮像素子と、前記撮像素子から出力された画像信号に対し画像処理を行う画像処理装置と、記憶媒体が装填されていることを検知する検知手段と、装填された記憶媒体から情報を読み取り、又は装填された記憶媒体に対し前記画像処理装置から得られた画像信号を書き込む読み取り・書き込み手段とを有し、前記読み取り・書き込み手段により、装填された記憶媒体から情報を読み取り、該情報が特定の情報であって、且つ前記検知手段がその記憶媒体の装填を検知している期間は、前記画像処理装置は、前記撮像素子から出力された画像信号に対し圧縮処理を行わないか、もしくは可逆的圧縮処理を行うことを特徴とする。例えば高画質プリントが可能なラボ等で、電子カメラのユーザーに対してメモリカード等の記憶媒体をレンタルするようにし、かかる記憶媒体に特定の情報を予め書き込んでおく。すると、その記憶媒体を装填した電子カメラで撮影を行った場合、前記撮像素子から出力された画像信号に対し圧縮処理を行わないか、もしくは可逆的圧縮処理を行い、その画像信号が前記記憶媒体に記憶されるため、この記憶媒体をラボに返却すれば、記憶された画像信号に基づいて、より高画質なプリントを得ることができる。
【００１４】
【発明の実施の形態】
以下、本発明の実施の形態を図面に基づいて説明する。図１は、本実施の形態にかかる電子カメラおよびプリンタの斜視図であり、図２は、かかる電子カメラとプリンタの構成を示すブロック図である。
【００１５】
図２において、デジタルスチルカメラである電子カメラ３００は、光学系であるレンズ３０１と、レンズ３０１を介して結像された光学像を画像信号に変換する撮像素子であるＣＣＤ（ＣＭＯＳでもよい）３０２と、ＣＣＤ３０２から出力された画像信号に対し画像処理を行う画像処理部（画像処理装置）３０３と、画像処理部３０３により画像処理された画像信号を外部に出力するためのＵＳＢ（ＩｒＤＡ等の通信手段でもよい）タイプのインタフェース装置３０４と、画像信号を記憶する記憶装置であるメモリ（メモリカード又は内蔵メモリ）３０５と、モード設定部材３０６と、これらから信号を受けて制御を行うＣＰＵ３０７とを備えている。
【００１６】
一方、プリンタ１００は、外部から画像信号を入力するためのＵＳＢ（ＩｒＤＡ等の通信手段でもよい）タイプのインタフェース装置１０１と、入力した画像信号をプリントデータに変換するための画像処理部１０２と、プリントデータを記憶するハードディスク１０３と、プリントデータに基づき画像をプリントするプリント部１０４と、これらを制御するＣＰＵ１０５とを有している。図１に示すように、電子カメラ３００とプリンタ１００とはＵＳＢケーブル２００により通信可能に接続される。
【００１７】
次に、本実施の形態にかかる電子カメラ３００の動作について、図面を参照して説明する。図３は、電子カメラ３００の動作の制御を示すフローチャートである。まず、図３のステップＳ１０１において、電源スイッチ（不図示）がオンとなっていれば、ステップＳ１０２で、ＣＰＵ３０７はモード判定を行う。すなわちユーザーによるモード設定部材３０６の操作に応じてダイレクトプリントモードが設定されていると判断した場合、ＣＰＵ３０７は、ステップＳ１０３で、第１段のレリーズスイッチ（不図示）の押下信号（Ｓ１信号）が入力されるのを待つ。ここで、第１段のレリーズスイッチの押下信号（Ｓ１信号）が入力されたと判断すれば、ＣＰＵ３０７は、ステップＳ１０４で、ＡＥ処理を行って適切な合焦を行い且つ露光条件を決定するとと共に、ＡＦ処理を行ってレンズ３０１を合焦位置へと駆動し、更にステップＳ１０５で、第２段のレリーズスイッチの押下信号（Ｓ２信号）が入力されるのを待つ。第２段のレリーズスイッチの押下信号（Ｓ２信号）が入力されたと判断すれば、ＣＰＵ３０７は、ステップＳ１０７で、ＣＣＤ３０２を介して画像信号を取り込んで、ステップＳ１０８で画像処理部３０３で画像処理を行う。ここで、ダイレクトプリントモードが設定されているので、画像処理部３０３は、得られた画像信号に対し、圧縮処理を行わないか、もしくはＴＩＦＦなどの可逆圧縮処理を行う。
【００１８】
さらに、ステップＳ１０９で、ＣＰＵ３０７は、インタフェース装置３０４からの信号に基づき、電子カメラ３００とプリンタ１００とが接続されているか判断する。ここで、電子カメラ３００とプリンタ１００とが接続されていると判断すれば、ステップＳ１１０で、ＣＰＵ３０７は、インタフェース装置３０４を介して、画像信号をプリンタ１００に送信する。尚、プリンタ１００の接続が確認されたのち、画像信号の送信を電子カメラ３００又はプリンタ１００などに設けられている図示しないスイッチの入力などをＣＰＵ３０７、１０５が受けて、送信を開始するようにしてもよい
【００１９】
一方、プリンタ１００は、インタフェース装置１０１を介して画像信号を受信すれば、ＣＰＵ１０５の制御下で、画像処理部１０２により展開してプリントデータに変換し、ハードディスク１０３に記憶し、その後プリント部１０４で画像をプリントする。本実施の形態によれば、ダイレクトプリントモードが設定された場合、電子カメラ３００より送信される画像信号は、圧縮処理を行わないか、もしくはＴＩＦＦなどの可逆圧縮処理が行われたものであるので、画像処理部１０２で展開しても画像信号の劣化がなく、従ってそれを変換したプリントデータに基づいて、高画質がプリントが形成される。尚、ハードディスク１０３に記憶されたプリントデータは、印刷が完了したなどの所定の条件を満たした場合、プリンタ１００の制御部１０５により削除するようにしてもよい。
【００２０】
又、画像信号の送信後、ステップＳ１１１において、電子カメラ３００のＣＰＵ３０７は、一時メモリなどに記憶されている画像信号（送信した画像信号と同じ）に対し、画像処理部３０３により、ＪＰＥＧなどの非可逆圧縮処理を行い、ステップＳ１１２で、メモリ３０５に記憶する。一般的に、ＪＰＥＧ圧縮処理された画像信号は、ＴＩＦＦ圧縮処理された画像信号よりも容量が小さくなるので、ＪＰＥＧ圧縮処理された画像信号を記憶することで、メモリ３０５の記憶領域を有効に活用できる。その後、フローはステップＳ１０１へと戻る。尚、画像信号に対しＪＰＥＧなどの非圧縮処理を行う制御を、プリンタ１００側から受信完了したか或いは印刷成功したなどを示す信号を受けた後に行うようにしてもよい。
【００２１】
これに対し、ステップＳ１０９で、電子カメラ３００とプリンタ１００とが接続されていないと判断すれば、ステップＳ１１３で、ＣＰＵ３０７は、圧縮処理を行わないか、もしくはＴＩＦＦなどの可逆圧縮処理が行われた画像信号をメモリ３０５に記憶する。その後、任意のタイミング（ステップＳ１２１）で、プリンタ１００との接続確認がなされると、ＣＰＵ３０７は、メモリ３０５に記憶された画像信号を読み出してプリンタ１００に送信すれば、上述と同様に高画質な画像をプリントすることが可能となる。その後、フローはステップＳ１０１へと戻る。
【００２２】
一方、ステップＳ１０２で、ダイレクトプリントモードが設定されていないと判断した場合、ＣＰＵ３０７は、ステップＳ１１４で、第１段のレリーズスイッチ（不図示）の押下信号（Ｓ１信号）が入力されるのを待つ。ここで、第１段のレリーズスイッチの押下信号（Ｓ１信号）が入力されたと判断すれば、ＣＰＵ３０７は、ステップＳ１１５で、ＡＥ処理を行って適切な合焦を行い且つ露光条件を決定するとともに、ＡＦ処理を行ってレンズ３０１を合焦位置へと駆動し、更にステップＳ１１６で、第２段のレリーズスイッチの押下信号（Ｓ２信号）が入力されるのを待つ。第２段のレリーズスイッチの押下信号（Ｓ２信号）が入力されたと判断すれば、ＣＰＵ３０７は、ステップＳ１１８で、ＣＣＤ３０２を介して画像信号を取り込んで、ステップＳ１１９で画像処理部３０３で画像処理を行う。ここでは、ダイレクトプリントモードが設定されていないので、画像処理部３０３は、得られた画像信号に対しＪＰＥＧなどの非可逆圧縮処理を行う。さらに、プリンタ１００に接続されているか否かに関わらず、ステップＳ１２０において、ＣＰＵ３０７は、ＪＰＥＧなどの非可逆圧縮処理された画像信号をメモリ３０５に記憶する。その後、フローはステップＳ１０１へと戻る。尚、その後プリンタ１００に接続されたとき、電子カメラ３００から送信される画像信号は、ＪＰＥＧなどの非可逆圧縮処理されたデータであるため、非圧縮処理されたデータに比べると、より低い画像品質で印刷される。
【００２３】
尚、以上の実施の形態に関わらず、設定されているモードを電源オフ時に不揮発性のＲＡＭ等に記憶し、次の電源オン時に読み出してデフォルトとして設定するタイプの電子カメラにおいては、前回の電源オフ時にダイレクトプリントモードが設定されている場合には、モード設定部材３０６の操作に関わらず、電源オン時にダイレクトプリントモードを設定して良い。又、ダイレクトプリントモードが設定されている場合には、画像表示部８にそれを示すアイコンなどを表示させて、ユーザーの注意を促すことが好ましい。
【００２４】
次に、別な実施の形態にかかる電子カメラ３００の動作について、図面を参照して説明する。図４は、電子カメラ３００の動作の別な制御を示すフローチャートである。まず、図４のステップＳ２０１において、電源スイッチ（不図示）がオンとなっていれば、ステップＳ２０２で、ＣＰＵ３０７は、インタフェース装置３０４からの信号に基づき、電子カメラ３００とプリンタ１００とが接続されているか判断する。ここで、電子カメラ３００とプリンタ１００とが接続されていると判断すれば、ＣＰＵ３０７は、ステップＳ２０３で、第１段のレリーズスイッチ（不図示）の押下信号（Ｓ１信号）が入力されるのを待つ。ここで、第１段のレリーズスイッチの押下信号（Ｓ１信号）が入力されたと判断すれば、ＣＰＵ３０７は、ステップＳ２０４で、ＡＥ処理を行って適切な合焦を行い且つ露光条件を決定するとともに、ＡＦ処理を行ってレンズ３０１を合焦位置へと駆動し、更にステップＳ２０５で、第２段のレリーズスイッチの押下信号（Ｓ２信号）が入力されるのを待つ。第２段のレリーズスイッチの押下信号（Ｓ２信号）が入力されたと判断すれば、ＣＰＵ３０７は、ステップＳ２０７で、ＣＣＤ３０２を介して画像信号を取り込んで、ステップＳ１０８で画像処理部３０３で画像処理を行う。画像処理部３０３は、得られた画像信号に対し、圧縮処理を行わないか、もしくはＴＩＦＦなどの可逆圧縮処理を行う。
【００２５】
さらに、ステップＳ２０９で、ＣＰＵ３０７は、圧縮処理を行わないか、もしくはＴＩＦＦなどの可逆圧縮処理された画像信号を、インタフェース装置３０４を介してプリンタ１００に送信する。それにより、プリンタ１００は、上述と同様に高画質な画像をプリントできる。
【００２６】
画像信号の送信後、ステップＳ２１０において、電子カメラ３００のＣＰＵ３０７は、一時メモリなどに記憶されている画像信号（送信した画像信号と同じ）に対し、画像処理部３０３により、ＪＰＥＧなどの非可逆圧縮（拡張したときに元の画像信号が得られない圧縮）処理を行い、ステップＳ２１１で、メモリ３０５に記憶する。その後、フローはステップＳ１０１へと戻る。
【００２７】
一方、ステップＳ１０２で、ダイレクトプリントモードが設定されていないと判断した場合、ＣＰＵ３０７は、ステップＳ１１４以降の制御を行うが、これらは、図３に示す実施の形態と同様であるので、その説明は省略する。本実施の形態によれば、モード設定部材２０６を省略できる。
【００２８】
次に、更に別な実施の形態にかかる電子カメラ３００の動作について、図面を参照して説明する。図５は、電子カメラ３００の動作の更に別な制御を示すフローチャートである。尚、本実施の形態においては、メモリ３０５はメモリカードのような挿抜自在な記憶媒体であるものとし、ＣＰＵ３０７は、メモリ３０５が装填されていることを検知できるようになっている。
【００２９】
まず、図５のステップＳ３０１において、電源スイッチ（不図示）がオンとなっていれば、ステップＳ３０２で、ＣＰＵ３０７は、メモリ３０５が装填されているか否かを検知し、メモリ３０５が装填されていない場合には、ステップＳ３１０で、「メモリが装填されていません」等のメッセージを画像表示部８に表示する。一方、メモリ３０５が装填されている場合には、読み取り・書き込み手段であるＣＰＵ３０７は、ステップＳ２０２で、メモリ３０５に記憶された情報を読み取り、特定の情報が記憶されているか否かチェックする。特定の情報とは、ＣＰＵ３０７に対して、撮影により得られた画像信号に対し圧縮処理を行わないか、もしくはＴＩＦＦなどの可逆圧縮処理を行うことを要求する情報である。
【００３０】
ステップＳ３０３で、ＣＰＵ３０７は、メモリ３０５に特定の情報が記憶されていたか否かを判断し、記憶されていた場合には、ステップＳ３０４で、第１段のレリーズスイッチ（不図示）の押下信号（Ｓ１信号）が入力されるのを待つ。ここで、第１段のレリーズスイッチの押下信号（Ｓ１信号）が入力されたと判断すれば、ＣＰＵ３０７は、ステップＳ３０５で、ＡＥ処理を行って適切な合焦を行い且つ露光条件を決定するとともに、ＡＦ処理を行ってレンズ３０１を合焦位置へと駆動し、更にステップＳ３０６で、第２段のレリーズスイッチの押下信号（Ｓ２信号）が入力されるのを待つ。第２段のレリーズスイッチの押下信号（Ｓ２信号）が入力されたと判断すれば、ＣＰＵ３０７は、ステップＳ３０７で、ＣＣＤ３０２を介して画像信号を取り込んで、ステップＳ３０８で画像処理部３０３で画像処理を行う。画像処理部３０３は、得られた画像信号に対し、圧縮処理を行わないか、もしくはＴＩＦＦなどの可逆圧縮処理を行う。ＣＰＵ３０７は、ステップＳ２０９で、画像処理された画像信号をメモリ３０５に記憶する。その後、フローはステップＳ３０１へと戻る。
【００３１】
一方、ステップＳ３０３で、メモリ３０５に特定の情報が記憶されていないと判断した場合、ＣＰＵ３０７は、ステップＳ１１４以降の制御を行うが、これらは、図３に示す実施の形態と同様であるので、その説明は省略する。本実施の形態によれば、特定の情報が記憶されてないメモリ３０５が装填された場合、ＣＰＵ３０７は、画像信号にＪＰＥＧなどの非可逆圧縮処理を行うことで、メモリ３０５の記憶容量を節約し、一方、特定の情報が記憶されたメモリ３０５が装填された場合、ＣＰＵ３０７は、圧縮処理を行わないか、もしくはＴＩＦＦなどの可逆圧縮処理を行うことで、より高画質なプリントを得られるようにする。
【００３２】
以上、本発明を実施の形態を参照して説明してきたが、本発明は上記実施の形態に限定して解釈されるべきではなく、適宜変更・改良が可能であることはもちろんである。例えば、電子カメラ３００からプリンタ１００への画像信号の送信は、パソコンやサーバーなどを介して行われてもよく、又ネットワークを介して行われてもよい。
【００３３】
【発明の効果】
本発明によれば、メモリの記憶容量を節約しながらも、より高画質なプリントが得られる画像信号を創成可能である電子カメラを提供することができる。
【図面の簡単な説明】
【図１】本実施の形態にかかる電子カメラおよびプリンタの斜視図である。
【図２】本実施の形態にかかる電子カメラとプリンタの構成を示すブロック図である。
【図３】電子カメラ３００の動作の制御を示すフローチャートである。
【図４】電子カメラ３００の動作の別な制御を示すフローチャートである。
【図５】電子カメラ３００の動作の更に別な制御を示すフローチャートである。
【符号の説明】
１００  プリンタ
３００  電子カメラ
３０１  レンズ
３０２  ＣＣＤ
３０３  画像処理部
３０４  インタフェース装置
３０５  メモリ
３０６  モード設定部材
３０７  ＣＰＵ
【図１】
2004236275.tif 000003
【図２】
2004236275.tif 000004
【図３】
2004236275.tif 000005
【図４】
2004236275.tif 000006
【図５】
2004236275.tif 000007